(57)【要約】【課題】本発明は、優れたグリップ力と瞬発力を発揮し、ひいてはスポーツ、登山、あるいは各種作業において運動効率や作業効率を向上させることが可能な靴下の提供を課題とする。【解決手段】つま先部分において人の足指が挿入される５本の足指挿入部１１が形成されるとともに、少なくとも足甲部分において幅方向に伸縮可能なサポータ部１２が形成されている。これによれば、靴下１における足指挿入部１１とサポータ部１２との協同作用により靴下１が人の足によりフィットするため、優れたグリップ力と瞬発力を発揮することができる。【選択図】      図１
2007239145.tif 000002
【特許請求の範囲】
【請求項１】
つま先部分において人の足指が挿入される５本の足指挿入部が形成されるとともに、少なくとも足甲部分において幅方向に伸縮可能なサポータ部が形成されていることを特徴とする靴下。
【請求項２】
前記サポータ部は、靴下の足甲部分から足裏部分にかけて環状に形成されている請求項１に記載の靴下。
【請求項３】
靴下のかかと部分はパイル網みで形成されている請求項１または請求項２に記載の靴下。
【請求項４】
靴下のサポータ部を除く足甲部分はメッシュ状に形成されている請求項１ないし請求項３のいずれかに記載の靴下。
【発明の詳細な説明】
【技術分野】
【０００１】
本発明は、つま先部分が５本指状に形成された靴下に関するものである。
【背景技術】
【０００２】
従来、様々に工夫がなされた靴下が知られているが、この中でもつま先部分が５本指状に形成された靴下がある。このようにつま先部分を５本指状に形成することにより、靴下を履いた状態でも各足指が独立することとなり、通常の靴下に比べてスポーツ、登山、あるいは各種作業において多少踏ん張り易くなる。また、水虫予防、外反母趾防止等の優れた効果も発揮する。
【０００３】
このような靴下としては、例えば、特許文献１〜３に示すものが提案されている。
【０００４】
特許文献１に示す靴下は、５本指靴下を構成する５本指挿入部の夫々の内側面部と、足の裏面があたる靴下の内側面部の一部又は全部に、５本指の挿入がスムーズに挿入可能な５つに分岐した５本指当て部付き５本指挿入促進シートを被着せしめた。また、５本指挿入促進シートを、５本指挿入部の内側面部と、前記指挿入部より若干下方部の靴下の内側面部を被着せしめる程度の形状としたものである。
【０００５】
また、特許文献２に示す靴下は、足の土踏まず部より前方のみを覆うように構成されたつま先用靴下において、各指を一本ずつ収納しうる５つの指収納部と、５つの指収納部が連結された連結部と、足に穿いたときに足の踵に廻すべく両端が連結部の両側部に止着された紐状部材とを備えたものである。
【０００６】
また、特許文献３に示す靴下は、靴下本体の先端部を５本指形状に形成し、この５本指形状の先端部を１つの袋状として視認できるように、各指を収納する５つの各指収納空間部１６間の隙間を被覆部材１９で被覆したものである。
【０００７】
【特許文献１】特開２００１−１２３３０１号公報
【特許文献２】特開平１０−１３０９０６号公報
【特許文献３】特開２００４−３３２１２７号公報
【発明の開示】
【発明が解決しようとする課題】
【０００８】
しかしながら、上述のいずれの靴下も、つま先部分は５本指状に形成されているが、スポーツ、登山、あるいは各種作業において踏ん張るには十分ではなく、グリップ力や瞬発力にておいて必ずしも優れた効果を発揮していないという問題があった。
【０００９】
本発明は、上記問題に鑑みてなされたものであって、優れたグリップ力と瞬発力を発揮し、ひいてはスポーツ、登山、あるいは各種作業において運動効率や作業効率を向上させることが可能な靴下の提供を課題とする。
【課題を解決するための手段】
【００１０】
上記課題を解決するために、本発明は、つま先部分において人の足指が挿入される５本の足指挿入部が形成されるとともに、少なくとも足甲部分において幅方向に伸縮可能なサポータ部が形成されていることを特徴とする。これによれば、靴下における５本の足指挿入部とサポータ部との協同作用により靴下が人の足によりフィットするため、優れたグリップ力と瞬発力を発揮することができる。
【００１１】
また、前記サポータ部は、靴下の足甲部分から足裏部分にかけて環状に形成されているのが好ましい。これによれば、サポータ部が足の甲を包み込むようにサポートし、靴下が人の足により一層フィットすることができる。
【００１２】
また、靴下のかかと部分はパイル網みで形成されているのが好ましい。これによれば、足のかかと部分において伸縮効果が生じ、また足を締め付けず内側はソフトな感触で保温性の高い効果を発揮する。
【００１３】
また、靴下のサポータ部を除く足甲部分はメッシュ状に形成されているのが好ましい。これによれば、足の甲部分のメッシュにより靴下の通気性を向上させることができ、足ムレなどを防止することが可能となる。
【発明の効果】
【００１４】
本発明によれば、靴下における５本指挿入部とサポータ部との協同作用により靴下が人の足によりフィットするため、優れたグリップ力と瞬発力を発揮することができる。このため、スポーツ、登山、あるいは各種作業において十分に踏ん張ることができるとともに、足の筋肉疲労を緩和することができ、運動効率や作業効率を向上させることが可能となる。
【発明を実施するための最良の形態】
【００１５】
次に本発明の一実施形態について図面を参照しつつ説明する。
【００１６】
図１は本実施形態に係る靴下（１）の正面図、図２は同靴下（１）の平面図、図３は同靴下（１）の底面図、図４は同靴下（１）の断面図である。
【００１７】
この靴下（１）は、図１〜図４に示すように、履き口丈の短い靴下であり、従来の靴下にも用いられる一般的な繊維材質で編み上げられている。
【００１８】
また、靴下（１）のつま先部分には、人の足指が挿入される５本の足指挿入部（１１）が形成されている。各足指挿入部（１１）は、人の足指の先端部から付け根部分までの覆うように袋状に形成されている。これにより、靴下（１）を履いた状態でも各足指が独立することとなり、通常の靴下に比べてスポーツ、登山、あるいは各種作業において踏ん張り易くなる。また、水虫予防、外反母趾防止等の優れた効果も発揮する。
【００１９】
また、靴下（１）のつま先部分と履き口部分の中間部分、すなわち足甲部分の中央部にはサポータ部（１２）が形成されている。このサポータ部（１２）は、長さ３０ｍｍ前後のスリットが２〜３ｍｍ程の間隔で靴下幅方向に複数並べて形成されており、これにより靴下（１）の幅方向に伸縮可能なものとなされている。特に本実施形態では、サポータ部（１２）は、スリットを足甲部分から足裏部分にかけて連続的に複数並べて形成されており、靴下（１）の足甲部分から足裏部分にかけて環状なものとなされている。これによりサポータ部（１２）が足の甲を包み込むようにサポートし、靴下（１）が人の足により一層フィットすることができる。
【００２０】
また、靴下（１）のかかと部分（１３）はパイル網みで形成されている。これにより足のかかとにおいて伸縮効果が生じ、また足を締め付けず内側はソフトな感触で保温性の高い効果を発揮する。
【００２１】
また、靴下（１）のサポータ部（１２）を除く足甲部分はメッシュ部（１４）が形成されている。この足甲部分のメッシュ部（１４）により靴下（１）の通気性を向上させることができ、足ムレなどを防止することが可能となる。
【００２２】
而して、この靴下（１）を履く際には、まず靴下（１）の履き口から足を挿入し、足指を各足指挿入部（１１）に順次挿入していく。そして、足の甲にサポータ部（１２）を合わせるとともに、足のかかとを靴下（１）のかかと部分（１３）に合わせたあと、最後には履き口を足のスネに沿って上方に引き上げた上で、履き口び締付力により足のスネに止めると、図５に示すように靴下（１）を履くことができる。
【００２３】
このように靴下（１）における５本の足指挿入部（１１）とサポータ部（１２）との協同作用により靴下（１）が人の足によりフィットするため、優れたグリップ力と瞬発力を発揮することができる。このため、スポーツ、登山、あるいは各種作業において十分に踏ん張ることができるとともに、足の筋肉疲労を緩和することができ、運動効率や作業効率を向上させることが可能となる。
【００２４】
なお、本実施形態では、サポータ部（１２）のスリットの長さを３０ｍｍ前後、スリットの間隔を２〜３ｍｍ程としたが、これらの数値に限定されるものではなく、靴下（１）の大きさに応じて適宜変更可能である。
【００２５】
また、靴下（１）を履き口丈の短いものとしたが、履き口丈がさらに長いものであっても、あるいは履き口丈がさらに短いものにも適用可能である。
【００２６】
また、サポータ部（１２）を足甲部分から足裏部分にかけて環状に形成するものとしたが、足甲部分にのみ形成するものとしてもよい。
【図面の簡単な説明】
【００２７】
【図１】本実施形態に係る靴下の正面図である。
【図２】同靴下の平面図である。
【図３】同靴下の底面図である。
【図４】同靴下の断面図である。
【図５】同靴下を足に履いた状態を示す斜視図である。
【符号の説明】
【００２８】
１・・・靴下
１１・・・足指挿入部
１２・・・サポータ部
１３・・・かかと部
１４・・・メッシュ部
【図１】
2007239145.tif 000003
【図２】
2007239145.tif 000004
【図３】
2007239145.tif 000005
【図４】
2007239145.tif 000006
【図５】
2007239145.tif 000007